【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
位置情報出力装置であって、
第１の領域と第２の領域とを含む表示画面と、
該表示画面上で指示された位置の情報を出力するための位置情報出力回路と、
入力される画像信号によって形成し得る画像を、前記表示画面の前記第１の領域と前記第２の領域にそれぞれ表示するための表示信号を出力する出力回路と、
を有しており、
前記位置情報出力回路は、前記表示画面上の前記第１の領域内を指示された場合には該指示された位置の情報を出力し、前記第２の領域内を指示された場合には該指示された位置の情報を出力しないことを特徴とする位置情報出力装置。
【請求項２】
前記位置情報出力回路は、前記第２の領域内を指示された場合には警告を発するための信号を出力することを特徴とする請求項１記載の位置情報出力装置。
【請求項３】
位置情報出力装置であって、
第１の領域と第２の領域とを含む表示画面と、
該表示画面上で指示された位置の情報を出力するための位置情報出力回路と、
入力される画像信号によって形成し得る画像を、前記表示画面の前記第１の領域と前記第２の領域にそれぞれ表示するための表示信号を出力する出力回路と、
前記位置情報出力回路が出力する位置情報が、前記表示画面上の前記第１の領域内の位置情報である場合に該位置情報に応じた所定の信号処理を行い、前記位置情報出力回路が出力する位置情報が、前記表示画面上の前記第２の領域内の位置情報である場合に該位置情報に応じた前記所定の信号処理を行わない制御回路と、
を有することを特徴とする位置情報出力装置。
【請求項４】
前記制御回路は、前記位置情報出力回路が出力する位置情報が、前記表示画面上の前記第２の領域内の位置情報である場合には、警告を発するための信号を出力することを特徴とする請求項３に記載の位置情報出力装置。
【請求項５】
第１の領域と第２の領域とを含む表示画面上で指示された位置の情報を出力する位置情報出力方法であって、
入力される画像信号によって形成し得る画像を、前記表示画面の前記第１の領域と前記第２の領域にそれぞれ表示する表示ステップと、
前記表示画面上の前記第１の領域内を指示された場合には該指示された位置の情報を出力し、前記第２の領域内を指示された場合には該指示された位置の情報を出力しない位置情報出力ステップと、を有することを特徴とする位置情報出力方法。
【請求項６】
前記位置情報出力ステップにおいて、前記表示画面上の前記第２の領域内を指示された場合には、警告を発するための信号を出力することを特徴とする請求項５に記載の位置情報出力方法。
【手続補正２】
【補正対象書類名】明細書
【補正対象項目名】発明の名称
【補正方法】変更
【補正の内容】
【発明の名称】位置情報出力装置及び位置情報出力方法
【手続補正３】
【補正対象書類名】明細書
【補正対象項目名】０００９
【補正方法】変更
【補正の内容】
【０００９】
本発明の目的は、意図しない位置情報入力が抑制できる位置情報出力装置及び位置情報出力方法を提供することにある。
【手続補正４】
【補正対象書類名】明細書
【補正対象項目名】００１０
【補正方法】変更
【補正の内容】
【００１０】
本願発明に係る位置情報出力装置は、第１の領域と第２の領域とを含む表示画面と、該表示画面上で指示された位置の情報を出力するための位置情報出力回路と、入力される画像信号によって形成し得る画像を、前記表示画面の前記第１の領域と前記第２の領域にそれぞれ表示するための表示信号を出力する出力回路と、を有しており、前記位置情報出力回路は、前記表示画面上の前記第１の領域内を指示された場合には該指示された位置の情報を出力し、前記第２の領域内を指示された場合には該指示された位置の情報を出力しないことを特徴とする。
【手続補正５】
【補正対象書類名】明細書
【補正対象項目名】００１１
【補正方法】変更
【補正の内容】
【００１１】
本願発明に係る他の位置情報出力装置は、第１の領域と第２の領域とを含む表示画面と
、該表示画面上で指示された位置の情報を出力するための位置情報出力回路と、入力される画像信号によって形成し得る画像を、前記表示画面の前記第１の領域と前記第２の領域にそれぞれ表示するための表示信号を出力する出力回路と、前記位置情報出力回路が出力する位置情報が、前記表示画面上の前記第１の領域内の位置情報である場合に該位置情報に応じた所定の信号処理を行い、前記位置情報出力回路が出力する位置情報が、前記表示画面上の前記第２の領域内の位置情報である場合に該位置情報に応じた前記所定の信号処理を行わない制御回路と、を有することを特徴とする。
【手続補正６】
【補正対象書類名】明細書
【補正対象項目名】００１２
【補正方法】変更
【補正の内容】
【００１２】
本願発明に係る位置情報出力方法は、第１の領域と第２の領域とを含む表示画面上で指示された位置の情報を出力する位置情報出力方法であって、入力される画像信号によって形成し得る画像を、前記表示画面の前記第１の領域と前記第２の領域にそれぞれ表示する表示ステップと、前記表示画面上の前記第１の領域内を指示された場合には該指示された位置の情報を出力し、前記第２の領域内を指示された場合には該指示された位置の情報を出力しない位置情報出力ステップと、を有することを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明では、不用意な入力を防ぐことができる。
【手続補正９】
【補正対象書類名】明細書
【補正対象項目名】００１９
【補正方法】変更
【補正の内容】
【００１９】
２０は表示発生部であり、システム制御部１２の指示に応じて表示すべき内容を発生させる。２１は出力回路に相当する分割対面処理部であり、この役割については後述する。２２は表示装置であり、表示データを表示する。２３はタッチパネル制御部であり、タッチパネル２４からの位置情報をバス１１を介してシステム制御部１２に伝える。２４はタッチパネルであり、ユーザーが指示した位置を位置情報として検出する。タッチパネル２４とタッチパネル制御部２３が位置情報出力回路に相当している。
【手続補正１０】
【補正対象書類名】明細書
【補正対象項目名】００３２
【補正方法】変更
【補正の内容】
【００３２】
以上により、第二領域３６内を指示された時には該指示された位置と１対１に対応する情報を出力しないようにすることができる。これによって第二領域が指示された場合に、位置情報出力回路からの情報によって信号処理を行う回路において、該指示に応じた信号処理がなされないようにすることができる。なお第一領域が指示された場合には、該指示位置の座標情報に従って、該指示位置に対応する位置にポインタ記号（矢印状のものなど）を表示するためなどの所定の信号処理を行なうことができる。
【手続補正１１】
【補正対象書類名】明細書
【補正対象項目名】００３３
【補正方法】変更
【補正の内容】
【００３３】
なお、上記形態では分割対面表示モード時にタッチパネル制御部２３でタッチパネル２４から入力されたＸ座標の大きさを判別して座標情報を位置情報出力回路から出力させるかさせないかを決める処理をしていた。しかし、指示された位置が第一領域であるか第二領域であるかによらずに座標情報を位置情報出力回路から出力し、該位置情報出力回路からの座標情報に基づいて信号処理を行うシステム制御部１２や他の回路において座標情報に基づく所定の信号処理を行う際に、該信号処理を行う回路において位置情報出力回路からの座標情報が第二領域内の位置を示すものであることを認識して、その場合には該座標情報に応じた所定の信号処理を禁止する構成も採用することができる。この構成によっても、第一領域がタッチされた場合には該タッチされた位置にポインタ記号が表示されるが、第二領域がタッチされた場合には該タッチされた位置にポインタ記号が表示されないようにするなどの処理を行うことができる。